(57)【特許請求の範囲】
【請求項１】
セルから複数のサブフレームを含む送信を受信することと、
主要な干渉セルが前記複数のサブフレームの少なくとも一部を使用しないことを示す情報を含むリソース区分情報（ＲＰＩ）に基づいて無線リソース測定に含めるべきサブフレームを、前記複数のサブフレームから判断することと、
前記判断されたサブフレームについて前記無線リソース測定を実行することと
を備える、ワイヤレス通信のための方法。
【請求項２】
前記測定を報告することをさらに備える、請求項１に記載の方法。
【請求項３】
前記判断することが、サービングセルから、前記サービングセルと１つまたは複数の非サービングセルの両方の前記ＲＰＩを受信することを備える、請求項１に記載の方法。
【請求項４】
前記サービングセルからのネイバーリストがシステム情報ブロック（ＳＩＢ）中で前記ＲＰＩを搬送する、請求項３に記載の方法。
【請求項５】
前記判断することが、
サービングセルから前記サービングセルのＲＰＩを受信することと、
前記サービングセルの前記ＲＰＩに基づいて１つまたは複数の非サービングセルのＲＰＩを導出することと
を備える、請求項１に記載の方法。
【請求項６】
前記導出することは、前記１つまたは複数の非サービングセルの前記ＲＰＩが前記サービングセルの前記ＲＰＩと同じであると見なすことを備える、請求項５に記載の方法。
【請求項７】
前記判断することが、１つまたは複数の非サービングセルから前記１つまたは複数の非サービングセルのＲＰＩを受信することを備える、請求項１に記載の方法。
【請求項８】
前記１つまたは複数の非サービングセルの前記ＲＰＩを受信することが、前記１つまたは複数の非サービングセルからシステム情報ブロックタイプ１（ＳＩＢ１）を読み取ることを備える、請求項７に記載の方法。
【請求項９】
前記１つまたは複数の非サービングセルの前記ＲＰＩがマスタ情報ブロック（ＭＩＢ）中で搬送される、請求項７に記載の方法。
【請求項１０】
前記無線リソース測定が、前記判断されたサブフレームのみの受信信号強度インジケータ（ＲＳＳＩ）と干渉セルの基準信号受信電力（ＲＳＲＰ）とに基づく基準信号受信品質（ＲＳＲＱ）である、請求項１に記載の方法。
【請求項１１】
前記無線リソース測定が、サービングセルまたは非サービングセルに関連する周波数内無線リソース測定を備える、請求項１に記載の方法。
【請求項１２】
前記無線リソース測定が、非サービングセルに関連する周波数間無線リソース測定またはＲＡＴ（無線アクセス技術）間無線リソース測定を備える、請求項１に記載の方法。
【請求項１３】
前記実行することが、６ｍｓよりも長い測定ギャップ中に前記判断されたサブフレームについて前記周波数間無線リソース測定または前記ＲＡＴ間無線リソース測定を実行することを備える、請求項１２に記載の方法。
【請求項１４】
前記測定ギャップが少なくとも１０ｍｓ続く、請求項１３に記載の方法。
【請求項１５】
前記実行することが、複数の測定ギャップ中に前記判断されたサブフレームについて前記周波数間無線リソース測定または前記ＲＡＴ間無線リソース測定を実行することを備える、請求項１２に記載の方法。
【請求項１６】
前記判断されたサブフレームと一致するように前記周波数間無線リソース測定または前記ＲＡＴ間無線リソース測定のための測定ギャップをシフトしたいという要求を送ることをさらに備える、請求項１２に記載の方法。
【請求項１７】
シフトしたいという前記要求が前記セルの前記ＲＰＩに基づく、請求項１６に記載の方法。
【請求項１８】
セルから複数のサブフレームを含む送信を受信するための手段と、
主要な干渉セルが前記複数のサブフレームの少なくとも一部を使用しないことを示す情報を含むリソース区分情報（ＲＰＩ）に基づいて無線リソース測定に含めるべきサブフレームを、前記複数のサブフレームから判断するための手段と、
前記判断されたサブフレームについて前記無線リソース測定を実行するための手段と
を備える、ワイヤレス通信のための装置。
【請求項１９】
前記測定を報告するための手段をさらに備える、請求項１８に記載の装置。
【請求項２０】
判断するための前記手段が、サービングセルから、前記サービングセルと１つまたは複数の非サービングセルの両方の前記ＲＰＩを受信するように構成された、請求項１８に記載の装置。
【請求項２１】
前記サービングセルからのネイバーリストが、システム情報ブロック（ＳＩＢ）中で前記ＲＰＩを搬送する、請求項２０に記載の装置。
【請求項２２】
判断するための前記手段が、
サービングセルから前記サービングセルのＲＰＩを受信することと、
前記サービングセルの前記ＲＰＩに基づいて１つまたは複数の非サービングセルのＲＰＩを導出することと
を行うように構成された、請求項１８に記載の装置。
【請求項２３】
前記１つまたは複数の非サービングセルの前記ＲＰＩを導出することは、前記１つまたは複数の非サービングセルの前記ＲＰＩが前記サービングセルの前記ＲＰＩと同じであると見なすことを備える、請求項２２に記載の装置。
【請求項２４】
判断するための前記手段が、１つまたは複数の非サービングセルから前記１つまたは複数の非サービングセルのＲＰＩを受信するように構成された、請求項１８に記載の装置。
【請求項２５】
前記１つまたは複数の非サービングセルの前記ＲＰＩを受信することが、前記１つまたは複数の非サービングセルからシステム情報ブロックタイプ１（ＳＩＢ１）を読み取ることを備える、請求項２４に記載の装置。
【請求項２６】
前記１つまたは複数の非サービングセルの前記ＲＰＩがマスタ情報ブロック（ＭＩＢ）中で搬送される、請求項２４に記載の装置。
【請求項２７】
前記無線リソース測定が、前記判断されたサブフレームのみの受信信号強度インジケータ（ＲＳＳＩ）と干渉セルの基準信号受信電力（ＲＳＲＰ）とに基づく基準信号受信品質（ＲＳＲＱ）である、請求項１８に記載の装置。
【請求項２８】
前記無線リソース測定が、サービングセルまたは非サービングセルに関連する周波数内無線リソース測定を備える、請求項１８に記載の装置。
【請求項２９】
前記無線リソース測定が、非サービングセルに関連する周波数間無線リソース測定またはＲＡＴ（無線アクセス技術）間無線リソース測定を備える、請求項１８に記載の装置。
【請求項３０】
実行するための前記手段が、６ｍｓよりも長い測定ギャップ中に前記判断されたサブフレームについて前記周波数間無線リソース測定または前記ＲＡＴ間無線リソース測定を実行するように構成された、請求項２９に記載の装置。
【請求項３１】
前記測定ギャップが少なくとも１０ｍｓ続く、請求項３０に記載の装置。
【請求項３２】
実行するための前記手段が、複数の測定ギャップ中に前記判断されたサブフレームについて前記周波数間無線リソース測定または前記ＲＡＴ間無線リソース測定を実行するように構成された、請求項２９に記載の装置。
【請求項３３】
前記判断されたサブフレームと一致するように前記周波数間無線リソース測定または前記ＲＡＴ間無線リソース測定のための測定ギャップをシフトしたいという要求を送るための手段をさらに備える、請求項２９に記載の装置。
【請求項３４】
シフトしたいという前記要求が前記セルの前記ＲＰＩに基づく、請求項３３に記載の装置。
【請求項３５】
セルから複数のサブフレームを含む送信を受信するように構成された受信機と、
主要な干渉セルが前記複数のサブフレームの少なくとも一部を使用しないことを示す情報を含むリソース区分情報（ＲＰＩ）に基づいて無線リソース測定に含めるべきサブフレームを、前記複数のサブフレームから判断することと、
前記判断されたサブフレームについて前記無線リソース測定を実行することと
を行うように構成された少なくとも１つのプロセッサと
を備える、ワイヤレス通信のための装置。
【請求項３６】
前記少なくとも１つのプロセッサが、前記測定を報告するように構成された、請求項３５に記載の装置。
【請求項３７】
前記少なくとも１つのプロセッサが、サービングセルから、前記サービングセルと１つまたは複数の非サービングセルの両方の前記ＲＰＩを受信することによって前記サブフレームを判断するように構成された、請求項３５に記載の装置。
【請求項３８】
前記サービングセルからのネイバーリストが、システム情報ブロック（ＳＩＢ）中で前記ＲＰＩを搬送する、請求項３７に記載の装置。
【請求項３９】
前記少なくとも１つのプロセッサが、
サービングセルから前記サービングセルのＲＰＩを受信することと、
前記サービングセルの前記ＲＰＩに基づいて１つまたは複数の非サービングセルのＲＰＩを導出することと
を行うことによって前記サブフレームを判断するように構成された、請求項３５に記載の装置。
【請求項４０】
前記導出することは、前記１つまたは複数の非サービングセルの前記ＲＰＩが前記サービングセルの前記ＲＰＩと同じであると見なすことを備える、請求項３９に記載の装置。
【請求項４１】
前記少なくとも１つのプロセッサが、１つまたは複数の非サービングセルから、前記１つまたは複数の非サービングセルのＲＰＩを受信することによって前記サブフレームを判断するように構成された、請求項３５に記載の装置。
【請求項４２】
前記１つまたは複数の非サービングセルの前記ＲＰＩを受信することが、前記１つまたは複数の非サービングセルからシステム情報ブロックタイプ１（ＳＩＢ１）を読み取ることを備える、請求項４１に記載の装置。
【請求項４３】
前記１つまたは複数の非サービングセルの前記ＲＰＩがマスタ情報ブロック（ＭＩＢ）中で搬送される、請求項４１に記載の装置。
【請求項４４】
前記無線リソース測定が、前記判断されたサブフレームのみの受信信号強度インジケータ（ＲＳＳＩ）と干渉セルの基準信号受信電力（ＲＳＲＰ）とに基づく基準信号受信品質（ＲＳＲＱ）である、請求項３５に記載の装置。
【請求項４５】
前記無線リソース測定が、サービングセルまたは非サービングセルに関連する周波数内無線リソース測定を備える、請求項３５に記載の装置。
【請求項４６】
前記無線リソース測定が、非サービングセルに関連する周波数間無線リソース測定またはＲＡＴ（無線アクセス技術）間無線リソース測定を備える、請求項３５に記載の装置。
【請求項４７】
前記少なくとも１つのプロセッサが、６ｍｓよりも長い測定ギャップ中に前記判断されたサブフレームについて前記周波数間無線リソース測定または前記ＲＡＴ間無線リソース測定を実行することによって前記無線リソース測定を実行するように構成された、請求項４６に記載の装置。
【請求項４８】
前記測定ギャップが少なくとも１０ｍｓ続く、請求項４７に記載の装置。
【請求項４９】
前記少なくとも１つのプロセッサが、複数の測定ギャップ中に前記判断されたサブフレームについて前記周波数間無線リソース測定または前記ＲＡＴ間無線リソース測定を実行することによって前記無線リソース測定を実行するように構成された、請求項４６に記載の装置。
【請求項５０】
前記判断されたサブフレームと一致するように前記周波数間無線リソース測定または前記ＲＡＴ間無線リソース測定のための測定ギャップをシフトしたいという要求を送るように構成された送信機をさらに備える、請求項４６に記載の装置。
【請求項５１】
シフトしたいという前記要求が前記セルの前記ＲＰＩに基づく、請求項５０に記載の装置。
【請求項５２】
ワイヤレス通信のためのコンピュータプログラムであって、
セルから複数のサブフレームを含む送信を受信することと、
主要な干渉セルが前記複数のサブフレームの少なくとも一部を使用しないことを示す情報を含むリソース区分情報（ＲＰＩ）に基づいて無線リソース測定に含めるべきサブフレームを、前記複数のサブフレームから判断することと、
前記判断されたサブフレームについて前記無線リソース測定を実行することと
を行うためのコードを有する、コンピュータプログラム。
【請求項５３】
前記測定を報告するためのコードをさらに備える、請求項５２に記載のコンピュータプログラム。
【請求項５４】
前記判断することが、サービングセルから、前記サービングセルと１つまたは複数の非サービングセルの両方の前記ＲＰＩを受信することを備える、請求項５２に記載のコンピュータプログラム。
【請求項５５】
前記サービングセルからのネイバーリストがシステム情報ブロック（ＳＩＢ）中で前記ＲＰＩを搬送する、請求項５４に記載のコンピュータプログラム。
【請求項５６】
前記判断することが、
サービングセルから前記サービングセルのＲＰＩを受信することと、
前記サービングセルの前記ＲＰＩに基づいて１つまたは複数の非サービングセルのＲＰＩを導出することと
を備える、請求項５２に記載のコンピュータプログラム。
【請求項５７】
前記導出することは、前記１つまたは複数の非サービングセルの前記ＲＰＩが前記サービングセルの前記ＲＰＩと同じであると見なすことを備える、請求項５６に記載のコンピュータプログラム。
【請求項５８】
前記判断することが、１つまたは複数の非サービングセルから前記１つまたは複数の非サービングセルのＲＰＩを受信することを備える、請求項５２に記載のコンピュータプログラム。
【請求項５９】
前記１つまたは複数の非サービングセルの前記ＲＰＩを受信することが、前記１つまたは複数の非サービングセルからシステム情報ブロックタイプ１（ＳＩＢ１）を読み取ることを備える、請求項５８に記載のコンピュータプログラム。
【請求項６０】
前記１つまたは複数の非サービングセルの前記ＲＰＩがマスタ情報ブロック（ＭＩＢ）中で搬送される、請求項５８に記載のコンピュータプログラム。
【請求項６１】
前記無線リソース測定が、前記判断されたサブフレームのみの受信信号強度インジケータ（ＲＳＳＩ）と干渉セルの基準信号受信電力（ＲＳＲＰ）とに基づく基準信号受信品質（ＲＳＲＱ）である、請求項５２に記載のコンピュータプログラム。
【請求項６２】
前記無線リソース測定が、サービングセルまたは非サービングセルに関連する周波数内無線リソース測定を備える、請求項５２に記載のコンピュータプログラム。
【請求項６３】
前記無線リソース測定が、非サービングセルに関連する周波数間無線リソース測定またはＲＡＴ（無線アクセス技術）間無線リソース測定を備える、請求項５２に記載のコンピュータプログラム。
【請求項６４】
前記実行することが、６ｍｓよりも長い測定ギャップ中に前記判断されたサブフレームについて前記周波数間無線リソース測定または前記ＲＡＴ間無線リソース測定を実行することを備える、請求項６３に記載のコンピュータプログラム。
【請求項６５】
前記測定ギャップが、少なくとも１０ｍｓ持続する、請求項６４に記載のコンピュータプログラム。
【請求項６６】
前記実行することが、複数の測定ギャップ中に前記判断されたサブフレームについて前記周波数間無線リソース測定または前記ＲＡＴ間無線リソース測定を実行することを備える、請求項６３に記載のコンピュータプログラム。
【請求項６７】
前記判断されたサブフレームと一致するように前記周波数間無線リソース測定または前記ＲＡＴ間無線リソース測定のための測定ギャップをシフトしたいという要求を送るためのコードをさらに備える、請求項６３に記載のコンピュータプログラム。
【請求項６８】
シフトしたいという前記要求が前記セルの前記ＲＰＩに基づく、請求項６７に記載のコンピュータプログラム。
【請求項６９】
第１の基地局において、周波数間無線リソース測定またはＲＡＴ（無線アクセス技術）間無線リソース測定のための、第２の基地局に関連する測定ギャップを判断することと、
前記第１の基地局において、前記第１の基地局の無線リソース測定用に指定された少なくとも１つのサブフレームを用いて、主要な干渉セルが複数のサブフレームの少なくとも一部を使用しないことを示す情報を含むリソース区分情報（ＲＰＩ）を生成することと、
前記ＲＰＩに従って前記第１の基地局からサブフレームを送信することであって、前記第１の基地局の無線リソース測定用に指定された前記少なくとも１つのサブフレームが、前記第２の基地局に関連する前記測定ギャップ内に入る、送信することと
を備える、ワイヤレス通信のための方法。
【請求項７０】
前記第１の基地局が前記第２の基地局とは異なるＲＡＴを使用する、請求項６９に記載の方法。
【請求項７１】
前記第１の基地局が、前記第２の基地局とは異なる周波数を使用する、請求項６９に記載の方法。
【請求項７２】
前記少なくとも１つのサブフレームが３つ以上のサブフレームを備える、請求項６９に記載の方法。
【請求項７３】
前記判断することが、前記第１の基地局と前記第２の基地局との間のバックホールを介して前記測定ギャップの指示を受信することを備える、請求項６９に記載の方法。
【請求項７４】
ワイヤレス通信のための装置であって、
周波数間無線リソース測定またはＲＡＴ（無線アクセス技術）間無線リソース測定のための、基地局に関連する測定ギャップを判断するための手段と、
前記装置の無線リソース測定用に指定された少なくとも１つのサブフレームを用いて、主要な干渉セルが複数のサブフレームの少なくとも一部を使用しないことを示す情報を含むリソース区分情報（ＲＰＩ）を生成するための手段と、
前記ＲＰＩに従って前記装置からサブフレームを送信するための手段であって、前記装置の無線リソース測定用に指定された前記少なくとも１つのサブフレームが、前記基地局に関連する前記測定ギャップ内に入る、送信するための手段と
を備える、ワイヤレス通信のための装置。
【請求項７５】
前記装置が前記基地局とは異なるＲＡＴを使用する、請求項７４に記載の装置。
【請求項７６】
前記装置が、前記基地局とは異なる周波数を使用する、請求項７４に記載の装置。
【請求項７７】
前記少なくとも１つのサブフレームが３つ以上のサブフレームを備える、請求項７４に記載の装置。
【請求項７８】
前記判断するための手段が、前記装置と前記基地局との間のバックホールを介して前記測定ギャップの指示を受信するように構成される、請求項７４に記載の装置。
【請求項７９】
ワイヤレス通信のための装置であって、
周波数間無線リソース測定またはＲＡＴ（無線アクセス技術）間無線リソース測定のための、基地局に関連する測定ギャップを判断することと、
前記装置の無線リソース測定用に指定された少なくとも１つのサブフレームを用いて、主要な干渉セルが複数のサブフレームの少なくとも一部を使用しないことを示す情報を含むリソース区分情報（ＲＰＩ）を生成することと
を行うように構成された少なくとも１つのプロセッサと、
前記ＲＰＩに従って前記装置からサブフレームを送信するように構成された送信機であって、前記装置の無線リソース測定用に指定された前記少なくとも１つのサブフレームが、前記基地局に関連する前記測定ギャップ内に入る、送信機と
を備える、ワイヤレス通信のための装置。
【請求項８０】
前記装置が前記基地局とは異なるＲＡＴを使用する、請求項７９に記載の装置。
【請求項８１】
前記装置が、前記基地局とは異なる周波数を使用する、請求項７９に記載の装置。
【請求項８２】
前記少なくとも１つのサブフレームが３つ以上のサブフレームを備える、請求項７９に記載の装置。
【請求項８３】
前記少なくとも１つのプロセッサが、前記装置と前記基地局との間のバックホールを介して前記測定ギャップの指示を受信することによって前記測定ギャップを判断するように構成された、請求項７９に記載の装置。
【請求項８４】
ワイヤレス通信のためのコンピュータプログラムであって、
第１の基地局において、周波数間無線リソース測定またはＲＡＴ（無線アクセス技術）間無線リソース測定のための、第２の基地局に関連する測定ギャップを判断することと、
前記第１の基地局において、前記第１の基地局の無線リソース測定用に指定された少なくとも１つのサブフレームを用いて、主要な干渉セルが複数のサブフレームの少なくとも一部を使用しないことを示す情報を含むリソース区分情報（ＲＰＩ）を生成することと、
前記ＲＰＩに従って前記第１の基地局からサブフレームを送信することであって、前記第１の基地局の無線リソース測定用に指定された前記少なくとも１つのサブフレームが、前記第２の基地局に関連する前記測定ギャップ内に入る、送信することと
を行うためのコードを有する、コンピュータプログラム。
【請求項８５】
前記第１の基地局が前記第２の基地局とは異なるＲＡＴを使用する、請求項８４に記載のコンピュータプログラム。
【請求項８６】
前記第１の基地局が、前記第２の基地局とは異なる周波数を使用する、請求項８４に記載のコンピュータプログラム。
【請求項８７】
前記少なくとも１つのサブフレームが３つ以上のサブフレームを備える、請求項８４に記載のコンピュータプログラム。
【請求項８８】
前記判断することが、前記第１の基地局と前記第２の基地局との間のバックホールを介して前記測定ギャップの指示を受信することを備える、請求項８４に記載のコンピュータプログラム。
【発明の詳細な説明】
【関連出願の相互参照】
【０００１】
本出願は、参照により本明細書に組み込まれる、２０１０年４月１３日に出願された米国仮特許出願第６１／３２３，８５８号の利益を主張する。
【技術分野】
【０００２】
本開示は、一般に通信に関し、より詳細には、ワイヤレス通信ネットワークにおいて通信をサポートするための技法に関する。
【背景技術】
【０００３】
ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ）の通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー（neighbor）基地局からの送信による干渉を観測することがある。アップリンク上では、ＵＥからの送信は、ネイバー基地局と通信する他のＵＥからの送信に干渉を生じることがある。干渉は、ダウンリンクとアップリンクの両方でパフォーマンスを劣化させることがある。
【発明の概要】
【０００６】
本開示のいくつかの態様は、一般に、あるセルが別のセルから厳しい干渉を受けている状態での無線リソース管理（ＲＲＭ）測定プロシージャの失敗を防ぐために、異種ネットワーク（ＨｅｔＮｅｔ）においてＲＲＭ測定を実行することに関する。ＲＲＭ測定を実行するために使用すべき特定のリソース（たとえば、サブフレーム）を判断するためのいくつかの代替形態が提供され、特定のリソースは、ＨｅｔＮｅｔのセル間の協働リソース区分に基づき、セルは、異なるタイプ（たとえば、マクロセル、ピコセル、またはフェムトセル）であり得る。これらの代替形態は、たとえば、（１）リソース区分情報（ＲＰＩ）を送信すること、またはサービングセルのＲＰＩに基づいて非サービングセルＲＰＩを導出することを伴い得る、周波数内またはＲＡＴ（無線アクセス技術）内代替形態、ならびに（２）ＲＲＭ測定が測定ギャップ中に実行され得る、周波数間（inter-frequency）またはＲＡＴ間（inter-RAT）代替形態を含む。このようにして、ＵＥは、別のセルからの干渉が限られているいくつかのサブフレームの間に、あるセルから受信した信号の無線リソース測定を行い得る。
【０００７】
本開示のいくつかの態様は、ワイヤレス通信のための方法を提供する。本方法は、概して、セルからサブフレーム中で送信を受信することと、セルのリソース区分情報（ＲＰＩ）に基づいて無線リソース測定に含めるべきサブフレームを判断することと、判断されたサブフレームについて無線リソース測定を実行することと、測定を報告することとを含む。
【０００８】
本開示のいくつかの態様は、ワイヤレス通信のための装置を提供する。本装置は、概して、セルからサブフレーム中で送信を受信するための手段と、セルのリソース区分情報（ＲＰＩ）に基づいて無線リソース測定に含めるべきサブフレームを判断するための手段と、判断されたサブフレームについて無線リソース測定を実行するための手段と、測定を報告するための手段とを含む。
【０００９】
本開示のいくつかの態様は、ワイヤレス通信のための装置を提供する。本装置は、概して、セルおよび少なくとも１つのプロセッサからサブフレーム中で送信を受信するように構成された受信機を含む。少なくとも１つのプロセッサは、セルのリソース区分情報（ＲＰＩ）に基づいて無線リソース測定に含めるべきサブフレームを判断することと、判断されたサブフレームについて無線リソース測定を実行することと、測定を報告することとを実行するように構成される。
【００１０】
本開示のいくつかの態様は、ワイヤレス通信のためのコンピュータプログラム製品を提供する。本コンピュータプログラム製品は、一般に、セルからサブフレーム中で送信を受信することと、セルのリソース区分情報（ＲＰＩ）に基づいて無線リソース測定に含めるべきサブフレームを判断することと、判断されたサブフレームについて無線リソース測定を実行することと、測定を報告することとを実行するためのコードを有するコンピュータ可読媒体を含む。
【００１１】
本開示のいくつかの態様は、ワイヤレス通信のための方法を提供する。本方法は、概して、第１の基地局において、周波数間無線リソース測定またはＲＡＴ（無線アクセス技術）間無線リソース測定のための、第２の基地局に関連する測定ギャップを判断することと、第１の基地局において、第１の基地局の無線リソース測定用に指定された少なくとも１つのサブフレームを用いてリソース区分情報（ＲＰＩ）を生成することと、ＲＰＩに従って第１の基地局からサブフレームを送信することであって、第１の基地局の無線リソース測定用に指定された少なくとも１つのサブフレームが、第２の基地局に関連する測定ギャップ内に入る、送信することとを含む。
【００１２】
本開示のいくつかの態様は、ワイヤレス通信のための装置を提供する。本装置は、概して、周波数間無線リソース測定またはＲＡＴ（無線アクセス技術）間無線リソース測定のための、基地局に関連する測定ギャップを判断するための手段と、装置の無線リソース測定用に指定された少なくとも１つのサブフレームを用いてリソース区分情報（ＲＰＩ）を生成するための手段と、ＲＰＩに従って装置からサブフレームを送信するための手段であって、装置の無線リソース測定用に指定された少なくとも１つのサブフレームが、基地局に関連する測定ギャップ内に入る、送信するための手段とを含む。
【００１３】
本開示のいくつかの態様は、ワイヤレス通信のための装置を提供する。本装置は、概して、少なくとも１つのプロセッサと送信機とを含む。少なくとも１つのプロセッサは、一般に、周波数間無線リソース測定またはＲＡＴ（無線アクセス技術）間無線リソース測定のための、基地局に関連する測定ギャップを判断することと、第１の基地局の無線リソース測定用に指定された少なくとも１つのサブフレームを用いてリソース区分情報（ＲＰＩ）を生成することとを実行するように構成される。送信機は、概して、ＲＰＩに従って装置からサブフレームを送信するように構成され、装置の無線リソース測定用に指定された少なくとも１つのサブフレームは、基地局に関連する測定ギャップ内に入る。
【００１４】
本開示のいくつかの態様は、ワイヤレス通信のためのコンピュータプログラム製品を提供する。本コンピュータプログラム製品は、一般に、第１の基地局において、周波数間無線リソース測定またはＲＡＴ（無線アクセス技術）間無線リソース測定のための、第２の基地局に関連する測定ギャップを判断することと、第１の基地局において、第１の基地局の無線リソース測定用に指定された少なくとも１つのサブフレームを用いてリソース区分情報（ＲＰＩ）を生成することと、ＲＰＩに従って第１の基地局からサブフレームを送信することであって、第１の基地局の無線リソース測定用に指定された少なくとも１つのサブフレームが、第２の基地局に関連する測定ギャップ内に入る、送信することとを実行するためのコードを有するコンピュータ可読媒体を含む。
【００１５】
本開示の様々な態様および特徴について以下でさらに詳細に説明する。
【図面の簡単な説明】
【００１６】
【図１】本開示のいくつかの態様による、ワイヤレス通信ネットワークの一例を概念的に示すブロック図。
【図２】本開示のいくつかの態様による、ワイヤレス通信ネットワークにおけるフレーム構造の一例を概念的に示すブロック図。
【図２Ａ】本開示のいくつかの態様による、Ｌｏｎｇ  Ｔｅｒｍ  Ｅｖｏｌｕｔｉｏｎ（ＬＴＥ）におけるアップリンクのための例示的なフォーマットを示す図。
【図３】本開示のいくつかの態様による、ワイヤレス通信ネットワークにおいてユーザ機器（ＵＥ）と通信しているノードＢの一例を概念的に示すブロック図。
【図４】本開示のいくつかの態様による、例示的な異種ネットワークを示す図。
【図５】本開示のいくつかの態様による、異種ネットワークにおける例示的なリソース区分を示す図。
【図６】本開示のいくつかの態様による、異種ネットワークにおけるサブフレームの例示的な協働区分を示す図。
【図７】本開示のいくつかの態様による、周波数間測定またはＲＡＴ（無線アクセス技術）間測定を行うための、３つの使用（Ｕ）サブフレームと様々な測定ギャップとをもつサブフレームの例示的な協働区分を示す図。
【図８】本開示のいくつかの態様による、判断されたサブフレームについて無線リソース測定を実行するために実行される例示的なブロックを概念的に示す機能ブロック図。
【図８Ａ】図８に示す動作を実行することが可能な例示的な構成要素を示す図。
【図９】本開示のいくつかの態様による、無線リソース測定用に指定された少なくとも１つのサブフレームが第２の基地局に関連する測定ギャップ内に入るように、第１の基地局においてリソース区分情報（ＲＰＩ）を生成するために実行される例示的なブロックを概念的に示す機能ブロック図。
【図９Ａ】図９に示す動作を実行することが可能な例示的な構成要素を示す図。
【発明を実施するための形態】
【００１７】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ  ＣＤＭＡ（ＷＣＤＭＡ）およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００１８】
例示的なワイヤレスネットワーク
図１に、ワイヤレス通信ネットワーク１００を示し、これはＬＴＥネットワークであり得る。ワイヤレスネットワーク１００は、いくつかの発展型ノードＢ（ｅＮＢ）１１０と他のネットワークエンティティとを含み得る。ｅＮＢは、ユーザ機器デバイス（ＵＥ）と通信する局であり得、基地局、ノードＢ、アクセスポイントなどと呼ばれることもある。各ｅＮＢ１１０は、特定の地理的エリアに通信カバレージを提供し得る。３ＧＰＰでは、「セル」という用語は、この用語が使用される状況に応じて、ｅＮＢのカバレージエリアおよび／またはこのカバレージエリアにサービスしているｅＮＢサブシステムを指すことができる。
【００１９】
ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による限定アクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢと呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢであり得る。ｅＮＢ１１０ｘは、ピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートし得る。
【００２０】
ワイヤレスネットワーク１００はまた、中継局を含み得る。中継局は、上流（upstream）局（たとえば、ｅＮＢまたはＵＥ）からデータおよび／または他の情報の送信を受信し、そのデータおよび／または他の情報の送信を下流（downstream）局（たとえば、ＵＥまたはｅＮＢ）に送る局である。中継局はまた、他のＵＥに対する送信を中継するＵＥであり得る。図１に示す例では、中継局１１０ｒは、ｅＮＢ１１０ａとＵＥ１２０ｒとの間の通信を可能にするために、ｅＮＢ１１０ａおよびＵＥ１２０ｒと通信し得る。中継局は、リレーｅＮＢ、リレーなどと呼ばれることもある。
【００２１】
ワイヤレスネットワーク１００は、様々なタイプのｅＮＢ、たとえば、マクロｅＮＢ、ピコｅＮＢ、フェムトｅＮＢ、リレーなどを含む異種ネットワーク（ＨｅｔＮｅｔ）であり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００２２】
ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００２３】
ネットワークコントローラ１３０は、ｅＮＢのセットに結合され、これらのｅＮＢの協調および制御を行い得る。ネットワークコントローラ１３０は、バックホール（backhaul）を介してｅＮＢ１１０と通信し得る。ｅＮＢ１１０はまた、たとえば、ワイヤレスバックホールまたはワイヤラインバックホールを介して直接または間接的に互いに通信し得る。
【００２４】
ＵＥ１２０は、ワイヤレスネットワーク１００全体にわたって分散され得、各ＵＥは、固定でも移動でもよい。ＵＥは、端末、移動局、加入者ユニット、局などとも呼ばれることがある。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレットなどであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００２５】
ＬＴＥは、ダウンリンク上では直交周波数分割多重（ＯＦＤＭ：orthogonal frequency division multiplexing）を利用し、アップリンク上ではシングルキャリア周波数分割多重（ＳＣ−ＦＤＭ：single-carrier frequency division multiplexing）を利用する。ＯＦＤＭおよびＳＣ−ＦＤＭは、システム帯域幅を、一般にトーン（tones）、ビン（bins）などとも呼ばれる複数（Ｋ個）の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定でもよく、サブキャリアの総数（Ｋ）はシステム帯域幅に依存し得る。たとえば、Ｋは、１．２５、２．５、５、１０、または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００２６】
図２に、ＬＴＥにおいて使用されるフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）通常のサイクリックプレフィックスの場合はＬ＝７個のシンボル期間、または拡張されたサイクリックプレフィックスの場合はＬ＝６個のシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中にＮ個のサブキャリア（たとえば、１２個のサブキャリア）をカバーし得る。
【００２７】
ＬＴＥでは、ｅＮＢは、ｅＮＢ中の各セルに関する１次同期信号（ＰＳＳ）と２次同期信号（ＳＳＳ）とを送り得る。１次同期信号および２次同期信号は、図２に示すように、それぞれ、通常のサイクリックをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ）を送り得る。ＰＢＣＨはあるシステム情報を搬送し得る。
【００２８】
ｅＮＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、Ｍは、１、２、または３に等しくなり得、サブフレームごとに変化し得る。Ｍはまた、たとえば１０個未満のリソースブロックをもつ小さいシステム帯域幅の場合は４に等しくなり得る。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る（図２に図示せず）。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００２９】
ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、システム帯域幅全体にわたってＰＣＦＩＣＨおよびＰＨＩＣＨを、これらのチャネルが送られる各シンボル期間中に送り得る。ｅＮＢは、システム帯域幅のいくつかの部分中でＵＥのグループにＰＤＣＣＨを送り得る。ｅＮＢは、システム帯域幅の特定の部分中で特定のＵＥにＰＤＳＣＨを送り得る。ｅＮＢは、すべてのＵＥにブロードキャストでＰＳＳ、ＳＳＳ、ＰＢＣＨ、ＰＣＦＩＣＨ、およびＰＨＩＣＨを送り得、特定のＵＥにユニキャストでＰＤＣＣＨを送り得、また、特定のＵＥにユニキャストでＰＤＳＣＨを送り得る。
【００３０】
いくつかのリソース要素が各シンボル期間中に利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、４つのリソース要素を１つのシンボル期間中に含み得る。ＰＣＦＩＣＨは、シンボル期間０中に周波数上でほぼ等しく離間し得る４つのＲＥＧを占有し得る。ＰＨＩＣＨは、１つまたは複数の構成可能なシンボル期間中に周波数上に拡散され得る３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、最初のＭ個のシンボル期間中に利用可能なＲＥＧから選択され得る、９個、１８個、３２個、または６４個のＲＥＧを占有し得る。ＲＥＧのいくつかの組合せのみがＰＤＣＣＨに対して許可され得る。
【００３１】
ＵＥは、ＰＨＩＣＨおよびＰＣＦＩＣＨのために使用される特定のＲＥＧを知り得る。ＵＥは、ＰＤＣＣＨのためのＲＥＧの異なる組合せを探索し得る。探索すべき組合せの数は、一般に、ＰＤＣＣＨに対して許可される組合せの数よりも少ない。ｅＮＢは、ＵＥが探索することになる組合せのいずれかにおいてＵＥにＰＤＣＣＨを送り得る。
【００３２】
図２Ａに、ＬＴＥにおけるアップリンクのための例示的なフォーマット２００Ａを示す。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図２Ａの設計は、データセクション中の連続するサブキャリアのすべてを単一のＵＥに割り当てることを可能にし得る連続サブキャリアを含むデータセクションを生じる。
【００３３】
ＵＥには、ｅＮＢに制御情報を送信するために制御セクション中のリソースブロックが割り当てられ得る。ＵＥには、ｅＮＢにデータを送信するためにデータセクション中のリソースブロックも割り当てられ得る。ＵＥは、制御セクション中の割り当てられたリソースブロック上の物理アップリンク制御チャネル（ＰＵＣＣＨ：Physical Uplink Control Channel）２１０中で制御情報を送信し得る。ＵＥは、データセクション中の割り当てられたリソースブロック上の物理アップリンク共有チャネル（ＰＵＳＣＨ）２２０中でデータのみまたはデータと制御情報の両方を送信し得る。アップリンク送信は、サブフレームの両方のスロットにわたり得、図２Ａに示すように周波数上でホッピングし得る。
【００３４】
ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００３５】
ＵＥは、ＵＥが１つまたは複数の干渉ｅＮＢからの高い干渉を観測し得る支配的干渉シナリオにおいて動作し得る。支配的干渉シナリオは、制限された関連付けにより発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限された関連付けによりフェムトｅＮＢ１１０ｙにアクセスすることができないことがあり、次いで、（図１に示すように）より低い受信電力をもつマクロｅＮＢ１１０ｃまたはやはりより低い受信電力をもつフェムトｅＮＢ１１０ｚ（図１に図示せず）に接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。
【００３６】
支配的干渉シナリオはまた、範囲拡張により発生し得、これは、ＵＥが、ＵＥによって検出されたすべてのｅＮＢのうち、より低い経路損失とより低いＳＮＲとをもつｅＮＢに接続するシナリオである。たとえば、図１では、ＵＥ１２０ｘは、マクロｅＮＢ１１０ｂとピコｅＮＢ１１０ｘとを検出し得、ｅＮＢ１１０ｘについて、ｅＮＢ１１０ｂよりも低い受信電力を有し得る。とはいえ、ｅＮＢ１１０ｘの経路損失がマクロｅＮＢ１１０ｂの経路損失よりも低い場合、ＵＥ１２０ｘはピコｅＮＢ１１０ｘに接続することが望ましいことがある。これにより、ＵＥ１２０ｘの所与のデータレートに対してワイヤレスネットワークへの干渉が少なくなり得る。
【００３７】
一態様では、支配的干渉シナリオにおける通信は、異なるｅＮＢを異なる周波数帯域上で動作させることによってサポートされ得る。周波数帯域は、通信のために使用され得る周波数範囲であり、（ｉ）中心周波数および帯域幅、または（ｉｉ）より低い周波数および上側周波数によって与えられ得る。周波数帯域は、帯域、周波数チャネルなどと呼ばれることもある。異なるｅＮＢのための周波数帯域は、強いｅＮＢがそれのＵＥと通信することを可能にしながら、ＵＥが支配的干渉シナリオにおいてより弱いｅＮＢと通信することができるように選択され得る。ｅＮＢは、ＵＥにおいて受信されるｅＮＢからの信号の受信電力に基づいて（ｅＮＢの送信電力レベルには基づかずに）「弱い」ｅＮＢまたは「強い」ｅＮＢとして分類され得る。
【００３８】
図３は、図１の基地局／ｅＮＢのうちの１つであり得る基地局またはｅＮＢ１１０および図１のＵＥのうちの１つであり得るＵＥ１２０の設計のブロック図である。制限付き関連付けシナリオの場合、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０は、Ｔ個のアンテナ３３４ａ〜３３４ｔを装備し得、ＵＥ１２０は、Ｒ個のアンテナ３５２ａ〜３５２ｒを装備し得、概して、Ｔ≧１およびＲ≧１である。
【００３９】
ｅＮＢ１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、データと制御情報とを処理（たとえば、符号化およびシンボルマッピング）して、それぞれデータシンボルと制御シンボルとを取得し得る。送信プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、Ｔ個の出力シンボルストリームをＴ個の変調器（ＭＯＤ）３３２ａ〜３３２ｔに供給し得る。各変調器３３２は、（たとえば、ＯＦＤＭなどの）それぞれの出力シンボルストリームを処理して出力サンプルストリームを取得し得る。各変調器３３２はさらに、出力サンプルストリームを処理（たとえば、アナログへの変換、増幅、フィルタ処理、およびアップコンバート）して、ダウンリンク信号を取得し得る。変調器３３２ａ〜３３２ｔからのＴ個のダウンリンク信号は、それぞれＴ個のアンテナ３３４ａ〜３３４ｔを介して送信され得る。
【００４０】
ＵＥ１２０において、アンテナ３５２ａ〜３５２ｒは、ｅＮＢ１１０からダウンリンク信号を受信し得、受信信号をそれぞれ復調器（ＤＥＭＯＤ）３５４ａ〜３５４ｒに供給し得る。各復調器３５４は、それぞれの受信信号を調整（たとえば、フィルタ処理、増幅、ダウンコンバート、およびデジタル化）して入力サンプルを取得し得る。各復調器３５４はさらに、（たとえば、ＯＦＤＭなどの）入力サンプルを処理して受信シンボルを取得し得る。ＭＩＭＯ検出器３５６は、Ｒ個の復調器３５４ａ〜３５４ｒのすべてから受信シンボルを取得し、適用可能な場合は受信シンボルに対してＭＩＭＯ検出を実行し、検出されたシンボルを供給し得る。受信プロセッサ３５８は、検出されたシンボルを処理（たとえば、復調、デインターリーブ、および復号）し、ＵＥ１２０の復号されたデータをデータシンク３６０に供給し、復号された制御情報をコントローラ／プロセッサ３８０に供給する。
【００４１】
アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、ｅＮＢ１１０に送信され得る。ｅＮＢ１１０において、ＵＥ１２０からのアップリンク信号は、アンテナ３３４によって受信され、復調器３３２によって処理され、適用可能な場合はＭＩＭＯ検出器３３６によって検出され、さらに受信プロセッサ３３８によって処理されて、ＵＥ１２０によって送られた復号されたデータおよび制御情報が取得され得る。受信プロセッサ３３８は、復号されたデータをデータシンク３３９に供給し、復号された制御情報をコントローラ／プロセッサ３４０に供給し得る。
【００４２】
コントローラ／プロセッサ３４０および３８０は、それぞれｅＮＢ１１０における動作およびＵＥ１２０における動作を指示し得る。ＵＥ１２０におけるコントローラ／プロセッサ３８０ならびに／または他のプロセッサおよびモジュールは、図８のブロック８００の動作、および／または本明細書で説明する技法のための他のプロセスを実行または指示し得る。ｅＮＢ１１０におけるコントローラ／プロセッサ３４０ならびに／または他のプロセッサおよびモジュールは、図９のブロック９００の動作、および／または本明細書で説明する技法のための他のプロセスを実行または指示し得る。メモリ３４２および３８２は、それぞれｅＮＢ１１０およびＵＥ１２０のためのデータおよびプログラムコードを記憶し得る。スケジューラ３４４は、ダウンリンク上および／またはアップリンク上でのデータ送信のためにＵＥをスケジュールし得る。
【００４３】
例示的なリソース区分
本開示のいくつかの態様によれば、ネットワークが拡張セル間干渉協調（ｅＩＣＩＣ：enhanced inter-cell interference coordination）をサポートするとき、基地局は、干渉セルがそれのリソースの一部を断念することによって干渉を低減／なくすために、リソースを協調するために互いにネゴシエートし得る。この干渉協調によれば、ＵＥは、干渉セルによってもたらされるリソースを使用することによる厳しい干渉があってもサービングセルにアクセスすることが可能であり得る。
【００４４】
たとえば、オープンマクロセルのカバレージエリア中の、限定アクセスモードにあるフェムトセル（すなわち、メンバーフェムトＵＥだけがこのセルにアクセスすることができる）は、このマクロセルのための「カバレージホール」を生成することが可能であり得る。フェムトセルがそれのリソースの一部をもたらすことについてネゴシエートし、干渉を効果的に除去することによって、フェムトセルカバレージエリアの下のマクロＵＥは、これらのもたらされるリソースを使用してＵＥのサービングマクロセルにアクセスすることが依然として可能であり得る。
【００４５】
Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）など、ＯＦＤＭを使用する無線アクセスシステムでは、もたらされるリソースは、時間ベース、周波数ベース、または両方の組合せであり得る。協調リソース区分が時間ベースであるとき、干渉セルは、時間領域においてサブフレームの一部を単に使用しないことがある。もたらされるリソース（すなわち、協調リソース区分）が周波数ベースであるとき、干渉セルは、周波数領域においてサブキャリアをもたらし得る。協調リソース区分が周波数と時間の両方の組合せであるとき、干渉セルは、ある周波数リソースおよび時間リソースをもたらし得る。
【００４６】
図４に、ｅＩＣＩＣは、実線の無線リンク４０２によって示されるように、マクロＵＥ１２０ｙがフェムトセル１１０ｙから厳しい干渉を受けているときでも、ｅＩＣＩＣをサポートするマクロＵＥ１２０ｙ（たとえば、図４に示すＲｅｌ−１０マクロＵＥ）がマクロセル１１０ｃにアクセスすることを可能にし得る例示的なシナリオを示す。破線の無線リンク４０４によって示されるように、レガシーマクロＵＥ１２０ｕ（たとえば、図４に示すＲｅｌ−８マクロＵＥ）は、フェムトセル１１０ｙからの厳しい干渉下でマクロセル１１０ｃにアクセスすることができないことがある。フェムトＵＥ１２０ｖ（たとえば、図４に示すＲｅｌ−８フェムトＵＥ）は、マクロセル１１０ｃからのいかなる干渉問題もなしにフェムトセル１１０ｙにアクセスし得る。
【００４７】
いくつかの態様によれば、ネットワークはｅＩＣＩＣをサポートし得、区分情報の様々なセットがあり得る。これらのセットのうちの第１のものを、半静的リソース区分情報（ＳＲＰＩ：Semi-Static Resource Partitioning information）と呼ぶことがある。これらのセットのうちの第２のものを、適応型リソース区分情報（ＡＲＰＩ：Adaptive Resource Partitioning information）と呼ぶことがある。文字通り、ＳＲＰＩは、一般に、頻繁に変化せず、ＳＲＰＩはＵＥに送られ得、したがって、ＵＥは、ＵＥ自体の動作のためにリソース区分情報を使用することができる。
【００４８】
一例として、リソース区分は、８ｍｓの周期性（８つのサブフレーム）または４０ｍｓの周期性（４０個のサブフレーム）で実装され得る。いくつかの態様によれば、周波数リソースも区分され得るように周波数分割複信（ＦＤＤ）も適用され得ると仮定され得る。（たとえば、セルノードＢからＵＥへの）ダウンリンクを介した通信の場合、区分パターンは、知られているサブフレーム（たとえば、４などの整数Ｎの倍数であるシステムフレーム番号（ＳＦＮ：system frame number）値を有する各無線フレームの第１のサブフレーム）にマッピングされ得る。そのようなマッピングは、特定のサブフレームのリソース区分情報（ＲＰＩ）を判断するために適用され得る。一例として、ダウンリンクについての（たとえば、干渉セルによってもたらされる）協調リソース区分の対象となるサブフレームは、次のインデックスによって識別され得る。
【数１】
0005972863.tif 000002
【００４９】
アップリンクについては、ＳＲＰＩマッピングは、たとえば、４ｍｓだけシフトされ得る。したがって、アップリンクについての例には、以下があり得る。
【数２】
0005972863.tif 000003
【００５０】
ＳＲＰＩは、各エントリ対して以下の３つの値を使用し得る。
【００５１】
・  Ｕ（使用）：この値は、サブフレームが、このセルによって使用されるべき支配的干渉からクリーンアップされていること（すなわち、主要な干渉セルがこのサブフレームを使用しないこと）を示す。
【００５２】
・  Ｎ（使用しない）：この値は、サブフレームが使用されないことを示す。
【００５３】
・  Ｘ（未知）：この値は、サブフレームが静的に区分されないことを示す。基地局間のリソース使用量ネゴシエーションの詳細はＵＥに知られない。
【００５４】
ＳＲＰＩの別の可能なパラメータのセットには、以下があり得る。
【００５５】
・  Ｕ（使用）：この値は、サブフレームが、このセルによって使用されるべき支配的干渉からクリーンアップされていること（すなわち、主要な干渉セルがこのサブフレームを使用しないこと）を示す。
【００５６】
・  Ｎ（使用しない）：この値は、サブフレームが使用されないことを示す。
【００５７】
・  Ｘ（未知）：この値は、サブフレームが静的に区分されないことを示す（基地局間のリソース使用量ネゴシエーションの詳細はＵＥに知られない）。
【００５８】
・  Ｃ（共通）：この値は、すべてのセルがリソース区分なしにこのサブフレームを使用し得ることを示し得る。このサブフレームは干渉を受け得、したがって、基地局は、厳しい干渉を受けていないＵＥのためにのみこのサブフレームを使用することを選択し得る。
【００５９】
サービングセルのＳＲＰＩは、無線でブロードキャストされ得る。Ｅ−ＵＴＲＡＮでは、サービングセルのＳＲＰＩは、マスタ情報ブロック（ＭＩＢ：master information block）中でまたはシステム情報ブロック（ＳＩＢ：system information block）のうちの１つ中で送られ得る。事前定義ＳＲＰＩは、セル、たとえば、マクロセル、（オープンアクセス状態の）ピコセル、および（限定アクセス状態の）フェムトセルの特性に基づいて定義され得る。そのような場合、システムオーバヘッドメッセージにおけるＳＲＰＩの符号化は、無線でより効率的にブロードキャストすることを生じ得る。
【００６０】
基地局はまた、ＳＩＢのうちの１つにおいてネイバーセルのＳＲＰＩをブロードキャストし得る。この場合、ＳＲＰＩは、それの対応する範囲の物理セル識別情報（ＰＣＩ：physical cell identity）を用いて送られ得る。
【００６１】
ＡＲＰＩは、ＳＲＰＩ中の「Ｘ」サブフレームについての詳細情報をもつさらなるリソース区分情報を表し得る。上記のように、「Ｘ」サブフレームについての詳細情報は、一般に、基地局のみに知られ、ＵＥはそれを知らない。
【００６２】
図５および図６に、マクロセルおよびフェムトセルを用いたシナリオで上記で説明したＳＲＰＩ割当ての例を示す。
【００６３】
例示的なＨｅｔＮｅｔ  ＵＥ  ＲＲＭ測定
Ｕサブフレームは、支配的干渉がないことがあるサブフレームである。Ｕサブフレームの情報は、ＵＥに配信され得る。無線リソース管理（ＲＲＭ：radio resource management）測定は、データ干渉が除去されるのでＵサブフレーム上でのみ行われ得る。ＲＲＭ測定は、基準信号受信電力（ＲＳＲＰ：reference signal received power）と基準信号受信品質（ＲＳＲＱ：reference signal received quality）とを備え得る。ＲＳＲＰは、セル専用基準信号（ＣＲＳ：cell-dedicated reference signal）上で受信電力を示し得、ＲＳＲＱは、ＣＲＳ上で受信品質を示し得る。ＲＳＲＱは次のように計算され得る。
【数３】
0005972863.tif 000004
【００６４】
上式で、ＲＳＳＩは、受信信号強度インジケータである。ＲＳＳＩは、リソース区分により異なるサブフレーム上で劇的に変化し得る。ＣＲＳは、すべての非マルチメディアブロードキャストシングル周波数ネットワーク（ＭＢＳＦＮ）サブフレーム中で送信され得、したがって、インターレースを知る必要がないことがある。衝突ＣＲＳの干渉協調はパフォーマンスをさらに改善し得る。ＲＳＲＱは、ＬＴＥリリース１０（Ｒｅｌ−１０）ＵＥに対して次式のように再定義され得る。
【数４】
0005972863.tif 000005
【００６５】
これは、Ｕサブフレームの真のパフォーマンスを示し得る。
【００６６】
リソース区分情報（ＲＰＩ）がサービングセルから入手可能になり得るので、サービング／キャンピングセルからのＲＲＭ測定が行われ得る。したがって、どのサブフレームを測定すべきか（すなわち、Ｕサブフレーム）は、ＲＰＩに基づいて判断され得る。非サービング／キャンピングセルのＲＰＩは知られないことがある。本開示のいくつかの態様は、セルのＲＰＩに基づいて無線リソース測定に含めるべきサブフレームを判断するための方法を開示する。本明細書で説明するいくつかの態様は、接続モードまたはアイドルモード、周波数間設計（inter-frequency designs）または周波数内設計（intra-frequency designs）、およびサービングセルまたはネイバーセルに適用され得る。
【００６７】
いくつかの態様では、サービングセルからのネイバーリストは、システム情報ブロック（ＳＩＢ）中で非サービングセルＲＰＩを搬送し得る。この態様は、ピコセルの数が限定され得るマクロピコの場合（すなわち、物理セル識別情報（ＰＣＩ）対ＲＰＩマッピング）に適用され得る。ＣＳＧセル（たとえば、フェムトセル）は、１つまたは２つのパターンが割り振られ得るが、明示的なＲＰＩ対ＰＣＩマッピングがないことがあり得る。いくつかの態様では、ＲＰＩは、同じタイプのセル（たとえば、マクロ、ピコ、またはフェムト）に対して同じになり得る。
【００６８】
いくつかの態様では、ＵＥは、サービングセルのＲＰＩに基づいて非サービングセルのＲＰＩを導出し得る。いくつかの態様では、サービングセルおよび非サービングセルのＲＰＩは同じであり得るので、ＵＥは、非サービングセルのＲＰＩを導出することの一部として、非サービングセルのＲＰＩがサービングセルのＲＰＩと同じであると見なし得る。言い換えれば、ＵＥは、非サービングセルの測定のためにサービングセルのＵサブフレームを使用し得る。いくつかの態様では、非サービングセルのＲＰＩは、サービングセルのＲＰＩを補完し得る。言い換えれば、ＵＥは、非サービングセルの測定のためにサービングセルのＮサブフレームを使用し得る（たとえば、非サービングセルはサービングセルとは異なるクラスであり得る）。いくつかの態様では、ＵＥは、最終報告のためにＵサブフレームおよびＮサブフレームにわたって複数の測定を組み合わせ得る（たとえば、１つはＵサブフレームから、別の１つはＮサブフレームから、複数のＲＳＲＱおよびＲＳＲＰを報告する）。これらの複数の測定から最良のＲＳＲＱが選択され得る。
【００６９】
いくつかの態様では、ＵＥは、すべてのサブフレーム上でＲＲＭ測定を実行することに基づいてブラインド検出を実行し得る。ＵＥは、ＵＥがどのサブフレームから良好な測定および不良な測定を行うことが可能であり得るかを判断することによってパターンを検出することが可能であり得、区分パターンによって、さらに、ＵＥはＲＲＭ測定に含めるべきサブフレーム（たとえば、Ｕサブフレーム）を判断することが可能になり得る。
【００７０】
いくつかの態様では、ＵＥは、アグレッサ（aggressor）（たとえば、ネイバーセル）からシステム情報ブロックタイプ１（ＳＩＢ１）を読み取ることによってどのサブフレームを測定すべきかを判断し得る。この態様は、ＵＥがサブスクライブし得るかどうかを判断するために、ＵＥがＣＳＧのＳＩＢ１を読み取り得るフェムトセルシナリオに適用され得る。マクロセル上にキャンピングされたＵＥはＣＳＧ下で電源投入され得、ＵＥは、Ｎサブフレームを判断するためにＣＳＧからＳＩＢ１を読み取り得る（すなわち、マクロセルＲＰＩはフェムトセルからの相補型（complimentary）ＲＰＩを仮定する）。
【００７１】
いくつかの態様では、非サービングセルのＲＰＩはマスタ情報ブロック（ＭＩＢ）中で搬送され得、より速い測定プロシージャを可能にし得る。いくつかの態様では、４つの構成はＭＩＢ中の２ビットを使用し得、ＲＰＩパターンはセルのタイプに基づき得る。
【００７２】
いくつかの態様では、ピコセルのための追加のＰＣＩ区分が導入され得、追加の区分はＲＰＩ対ＰＣＩ空間にハードコードされ得る。ＰＣＩ空間区分は、同期チャネルを使用してブロードキャストされ得る。
【００７３】
周波数間または無線間（inter-radio）アクセス技術（ＲＡＴ：radio access technology）間設計では、クロスレイヤ同期およびＲＰＩが利用可能である場合、サービングセルからのネイバーリストは、上記で説明したいくつかの態様の場合のように非サービングセルＲＰＩを搬送し得る。しかしながら、周波数間ハンドオーバまたはＲＡＴ間ハンドオーバのためにセルを測定するために使用される、現在の測定ギャップ（ＬＴＥでは６ｍｓ）は、インターレースベースの半静的区分（すなわち、ＲＰＩ）に適合しないことがある。４０ｍｓの周期性をもつ６ｍｓのギャップは、Ｕインターレースを永続的に逃し得る。６ｍｓのギャップは、物理ブロードキャストチャネル（ＰＢＣＨ）をキャプチャしないことがあり、したがって、システムフレーム番号（ＳＦＮ）情報がないことがあり得る。クロス周波数ＲＰＩは、非同期ネットワークのために利用可能でないか、または非同期ネットワークには不可能なことがある。
【００７４】
いくつかの態様では、測定ギャップは、約１１ｍｓ（連続）＋ＭＩＢペイロードまで２倍に増加し得る。いくつかの態様では、測定ギャップは少なくとも１０ｍｓ続く。これは、各測定ギャップ中のＭＩＢをキャプチャするのに十分であり得る。さらに、少なくとも１つのＵインターレースが各測定ギャップ中にキャプチャされ得る。いくつかの態様では、ＲＰＩはＭＩＢ中で搬送され得る。
【００７５】
いくつかの態様では、測定ギャップはシフトされ得、自律システム情報（ＳＩ：system information）読取りがあり得る。最初に、ＵＥはＰＣＩを測定し、サービングセルに報告し得る。サービングセルは、ＵＥに自律ＳＩ読取り（すなわち、ＭＩＢまたはＳＩＢ）を実行するように要求し得る。ＵＥは、最初に最も強いセルを読み取り、次いで、他のセルを測定するためにプロセスを「ブートストラップ」し得る。より詳細には、ＵＥは、より弱いセルのＲＰＩを発見するために、最も強い（１つまたは複数の）セルのＭＩＢまたはＳＩＢを読み取り得る。次いで、ＵＥは、最も強いセルから収集された（ＲＰＩを含む）情報に基づいて弱いセルを収集し、測定する。このようにして、ＵＥは、最も強い（１つまたは複数の）セルからの情報を使用してブートストラップし得る、すなわち、より弱いセルを測定するための可能性があるスケジュールを導出するか、または判断し得る。最も強い（１つまたは複数の）セルからの情報を使用することなしに、ＵＥは、弱いセルを直ちに測定することができないであろう。十分な情報がＭＩＢ中に与えられる場合、ＵＥは、弱いセルのＳＩＢを直接読み取ることもある。基地局（たとえば、ｅＮＢ）は、ＳＩ読取りを実行すべきか、または展開知識（たとえば、ネイバー、帯域、ＵＥサブスクリプション、ロケーションなど）に基づかないかを決定し得る。ＵＥは、ＳＩ読取りのためにより長い測定ギャップを使用し、当該のすべてのセルのＳＦＮおよびＲＰＩ情報を生成し得る。ＵＥは、この情報を報告し、いくつかのセルのＵサブフレームと一致するために測定ギャップをシフトするように要求し得る。基地局は、シフトされた６ｍｓギャップ上でＵＥを構成することができる。いくつかの態様では、Ｕサブフレームは独立していることがあり得るので、すべてのセルをキャプチャするために複数のギャップが利用され得る。
【００７６】
いくつかの態様では、Ｕサブフレームは、８ｍｓのリソース区分期間ごとに少なくとも２つのインターレース（たとえば、４ｍｓごとに少なくとも１つのＵサブフレームまたは８ｍｓごとに少なくとも２つのＵサブフレーム）に制限され得る。これは、６ｍｓの各測定ギャップにおいて少なくとも１つの良好な測定（すなわち、干渉が低減された／干渉がない測定）を保証し得る。ＵＥは、報告すべき最良のＲＳＲＱを選択し得る。しかしながら、この場合グラニュラリティ（granularity）の損失があり得る。
【００７７】
たとえば、図７に、８ｍｓのＳＲＰＩ期間ごとに３つのＵサブフレーム（すなわち、２つのＵサブフレームよりも多い）をもつ例示的なリソース区分を示す。このようにして、周波数間測定またはＲＡＴ間測定を行うための測定ギャップ７０２がどこに発生しようとも、少なくとも１つの良好な測定（すなわち、厳しい干渉なしにＵサブフレーム中で行われる測定）があることになる。測定ギャップ７０２中に、ＵＥが、周波数間ハンドオーバまたはＲＡＴ間ハンドオーバのために他の非サービングセルを測定し得るように、サービングセルとの通信が図示のように一時的に中断される。さらに、サービングセルは、測定ギャップ７０２中にＵＥと通信しない。
【００７８】
いくつかの態様では、ＵＥは、測定のために自律測定ギャップを使用するように構成され得る。本明細書で使用する自律測定ギャップは、概して、ＵＥによって要求され、Ｅ−ＵＴＲＡＮによって許可される測定ギャップを指す。自律測定ギャップは、ＵＥのデータ送信レートとスループットに影響を及ぼすことを避けるために、サービングセルのチャネル品質が低い期間、またはＵＥがデータ送信をスケジュールされる可能性が低い期間など、いくつかの期間中のみにｅＮＢによって割り振られ得る。ＵＥは、サブフレームドロップの総レイテンシおよび総数によって制限され得る。しかしながら、ＵＥは、いくつかのＵサブフレームをキャプチャするためにより長いギャップを使用し得る。
【００７９】
図８は、本開示のいくつかの態様による、サブフレームについて無線リソース測定を実行するために実行される例示的なブロック８００を概念的に示す機能ブロック図である。方法８００は、たとえば、ＵＥ１２０によって実行され得る。ブロック８０２において、ＵＥは、セル（たとえば、サービングセルおよび／または１つまたは複数の非サービングセル）からのサブフレーム中での送信を受信する。
【００８０】
ブロック８０４において、ＵＥは、無線リソース測定に含めるべきサブフレームを判断する。この判断は、セルのリソース区分情報（ＲＰＩ）に基づいて行われる。たとえば、測定は、保護されたサブフレーム（すなわち、Ｕサブフレームなどのクリーンサブフレーム）のみに限定され得る。いくつかの態様では、ＲＰＩは、サービングセルから受信した、サービングセルと１つまたは複数の非サービングセルの両方のＲＰＩに基づいて判断され得る。他の態様では、非サービングセルのＲＰＩは、サービングセルから受信した、サービングセルのみのＲＰＩから導出され得る。さらに他の態様では、ＲＰＩは、１つまたは複数の非サービングセルから受信した、非サービングセル自体のＲＰＩに基づいて判断され得る。
【００８１】
ブロック８０６において、ＵＥは、判断されたサブフレームについて無線リソース測定を実行する。無線リソース測定はＲＲＭ測定を備え得る。いくつかの態様では、無線リソース測定は、周波数間無線リソース測定またはＲＡＴ間無線リソース測定を備え得る。そのような態様では、周波数間／ＲＡＴ間無線リソース測定は、少なくとも１０ｍｓなどの従来の６ｍｓよりも長い持続時間を有する測定ギャップ中に実行され得る。代替的に、周波数間／ＲＡＴ間無線リソース測定は、（たとえば、各測定ギャップが約６ｍｓの持続時間を有する）複数の測定ギャップ中に実行され得る。
【００８２】
ブロック８０８において、ＵＥは、いくつかの態様では測定を報告する。この報告は、一般に、サービング基地局に無線リソース測定結果の指示を送信することを必要とする。この報告は、接続モードのＲＲＭ測定を実行するときにのみ行われ得る。アイドルモードのＲＲＭ測定は、セル再選択のために（すなわち、ネットワークサービスのために関連付けるべき最良のセルを判断するために）使用される。
【００８３】
上記で説明した動作は、図８の対応する機能を実行することが可能な任意の好適な構成要素または他の手段によって実行され得る。たとえば、図８に示すブロック８００は、図８Ａに示す構成要素８００Ａに対応する。図８Ａにおいて、トランシーバ８０２Ａは、ｅＮＢ1およびｅＮＢ2などの１つまたは複数のセルからサブフレーム中で送信を受信し得る。サブフレーム判断ユニット８００Ａは、セルのＲＰＩ８０５に基づいて無線リソース測定に含めるべきサブフレームを判断し得る。ＲＰＩ８０５は、受信されたサブフレームから判断され得る。無線リソース測定ユニット８０６Ａは、サブフレーム判断ユニット８０４Ａによって判断されたサブフレームについて無線リソース測定を実行し得る。無線リソース測定ユニットは、次いで、トランシーバ８０２Ａを介して無線リソース測定を報告し得る。
【００８４】
図９は、無線リソース測定用に指定された少なくとも１つのサブフレームが第２の基地局に関連する測定ギャップ内に入るように、第１の基地局においてＲＰＩを生成するために実行される例示的なブロック９００を概念的に示す機能ブロック図である。ブロック９００は、たとえば、第１の基地局としてｅＮＢ１１０によって実行され得、第２の基地局はまた、一般に、異なる周波数で動作するか、または異なる無線アクセス技術（ＲＡＴ）を使用するｅＮＢ１１０であり得る。第１の基地局および第２の基地局はまた、異なるタイプであり得る。
【００８５】
ブロック９０２において、第１の基地局は、周波数間無線リソース測定またはＲＡＴ間無線リソース測定のための、第２の基地局に関連する測定ギャップを判断する。いくつかの態様では、測定ギャップを判断することは、第１の基地局と第２の基地局との間のバックホールを介して測定ギャップの指示を受信することを備える。
【００８６】
ブロック９０４において、第１の基地局は、第１の基地局の無線リソース測定用に指定された少なくとも１つのサブフレームを用いてＲＰＩを生成する。第１の基地局は、第１の基地局によってサービスされる１つまたは複数のＵＥと通信するために使用すべきある時間および／または周波数リソースを判断することによってＲＰＩを生成し得る。ＲＰＩは、上記で説明したように、第１の基地局に関連する無線リソース測定用に指定された少なくとも１つのサブフレームが第２の基地局に関連する測定ギャップ内に入るように生成される。いくつかの態様では、第１の基地局は、たとえば、バックホールを介して１つまたは複数の他の局とＲＰＩをネゴシエートし得る。他の態様では、第１の基地局は、たとえば、バックホールを介して受信された、別のネイバー基地局のＲＰＩに基づいて使用すべきＲＰＩを導出し得る。
【００８７】
ブロック９０６において、第１の基地局は、生成されたＲＰＩに従ってサブフレームを送信する。これらのサブフレームは、第２の基地局に関連する測定ギャップ内に入る、第１の基地局に関連する無線リソース測定用に指定された少なくとも１つのサブフレームを含む。
【００８８】
いくつかの態様では、第１の基地局は、第２の基地局とは異なるＲＡＴを使用する。いくつかの態様では、第１の基地局は、第２の基地局とは異なる周波数を使用する。いくつかの態様では、少なくとも１つのサブフレームは３つ以上のサブフレームを備える。いくつかの態様では、測定ギャップの指示は、第１の基地局と第２の基地局との間のバックホールを介して第１の基地局によって受信され得る。
【００８９】
上記で説明した動作は、図９の対応する機能を実行することが可能な任意の好適な構成要素または他の手段によって実行され得る。たとえば、図９に示すブロック９００は、図９Ａに示す構成要素９００Ａに対応する。図９Ａでは、第１のｅＮＢ１１０中の測定ギャップ判断ユニット９０２Ａは、第２のｅＮＢ１１０に関連する測定ギャップを判断し得る。ＲＰＩ生成ユニット９０４Ａは、無線リソース測定用に指定されたサブフレームが測定ギャップ内に入るように、指定されたサブフレームを用いてＲＰＩを生成し得る。トランシーバ９０６Ａは、ＲＰＩ生成ユニット９０４ＡからのＲＰＩに従ってサブフレームを送信し得る。
【００９０】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。たとえば、送信するための手段または送るための手段は、図３に示すＵＥ１２０の送信機、変調器３５４、および／またはアンテナ３５２、あるいは図３に示すｅＮＢ１１０の送信機、変調器３３２、および／またはアンテナ３３４を備え得る。受信するための手段は、図３に示すＵＥ１２０の受信機、復調器３５４、および／またはアンテナ３５２、あるいは図３に示すｅＮＢ１１０の受信機、復調器３３２、および／またはアンテナ３３４を備え得る。処理するための手段、判断するための手段、実行するための手段、報告するための手段、および／または生成するための手段は、処理システムを備え得、その処理システムは、図３に示すｅＮＢ１１０の送信プロセッサ３２０またはコントローラ／プロセッサ３４０、あるいはＵＥ１２０の受信プロセッサ３５８またはコントローラ／プロセッサ３８０など、少なくとも１つのプロセッサを含み得る。
【００９１】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９２】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００９３】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９４】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【００９５】
１つまたは複数の例示的な設計では、説明した機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００９６】
本開示の前述の説明は、いかなる当業者でも本開示を作成または使用することができるように提供される。本開示への様々な修正は当業者には容易に明らかとなり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に本願発明の当初の特許請求の範囲に記載された発明を付記する。
［請求項１］
セルからサブフレーム中で送信を受信することと、
前記セルのリソース区分情報（ＲＰＩ）に基づいて無線リソース測定に含めるべき前記サブフレームを判断することと、
前記判断されたサブフレームについて前記無線リソース測定を実行することとを備える、ワイヤレス通信のための方法。
［請求項２］
前記測定を報告することをさらに備える、請求項１に記載の方法。
［請求項３］
前記判断することが、サービングセルから、前記サービングセルと１つまたは複数の非サービングセルの両方の前記ＲＰＩを受信することを備える、請求項１に記載の方法。
［請求項４］
前記サービングセルからのネイバーリストがシステム情報ブロック（ＳＩＢ）中で前記ＲＰＩを搬送する、請求項３に記載の方法。
［請求項５］
前記判断することが、
サービングセルから前記サービングセルのＲＰＩを受信することと、
前記サービングセルの前記ＲＰＩに基づいて１つまたは複数の非サービングセルのＲＰＩを導出することとを備える、請求項１に記載の方法。
［請求項６］
前記導出することは、前記１つまたは複数の非サービングセルの前記ＲＰＩが前記サービングセルの前記ＲＰＩと同じであると見なすことを備える、請求項５に記載の方法。
［請求項７］
前記導出することが、前記受信したサブフレームについて前記無線リソース測定を実行することに基づいてブラインド検出を実行することを備える、請求項５に記載の方法。
［請求項８］
前記判断することが、１つまたは複数の非サービングセルから前記１つまたは複数の非サービングセルのＲＰＩを受信することを備える、請求項１に記載の方法。
［請求項９］
前記１つまたは複数の非サービングセルの前記ＲＰＩを受信することが、前記１つまたは複数の非サービングセルからシステム情報ブロックタイプ１（ＳＩＢ１）を読み取ることを備える、請求項８に記載の方法。
［請求項１０］
前記１つまたは複数の非サービングセルの前記ＲＰＩがマスタ情報ブロック（ＭＩＢ）中で搬送される、請求項８に記載の方法。
［請求項１１］
前記無線リソース測定が、前記判断されたサブフレームのみの受信信号強度インジケータ（ＲＳＳＩ）と干渉セルの基準信号受信電力（ＲＳＲＰ）とに基づく基準信号受信品質（ＲＳＲＱ）である、請求項１に記載の方法。
［請求項１２］
前記無線リソース測定が、サービングセルまたは非サービングセルに関連する周波数内無線リソース測定を備える、請求項１に記載の方法。
［請求項１３］
前記無線リソース測定が、非サービングセルに関連する周波数間無線リソース測定またはＲＡＴ（無線アクセス技術）間無線リソース測定を備える、請求項１に記載の方法。
［請求項１４］
前記実行することが、６ｍｓよりも長い測定ギャップ中に前記判断されたサブフレームについて前記周波数間無線リソース測定または前記ＲＡＴ間無線リソース測定を実行することを備える、請求項１３に記載の方法。
［請求項１５］
前記測定ギャップが少なくとも１０ｍｓ続く、請求項１４に記載の方法。
［請求項１６］
前記実行することが、複数の測定ギャップ中に前記判断されたサブフレームについて前記周波数間無線リソース測定または前記ＲＡＴ間無線リソース測定を実行することを備える、請求項１３に記載の方法。
［請求項１７］
前記判断されたサブフレームと一致するように前記周波数間無線リソース測定または前記ＲＡＴ間無線リソース測定のための測定ギャップをシフトしたいという要求を送ることをさらに備える、請求項１３に記載の方法。
［請求項１８］
シフトしたいという前記要求が前記セルの前記ＲＰＩに基づく、請求項１７に記載の方法。
［請求項１９］
セルからサブフレーム中で送信を受信するための手段と、
前記セルのリソース区分情報（ＲＰＩ）に基づいて無線リソース測定に含めるべき前記サブフレームを判断するための手段と、
前記判断されたサブフレームについて前記無線リソース測定を実行するための手段とを備える、ワイヤレス通信のための装置。
［請求項２０］
前記測定を報告するための手段をさらに備える、請求項１９に記載の装置。
［請求項２１］
判断するための前記手段が、サービングセルから、前記サービングセルと１つまたは複数の非サービングセルの両方の前記ＲＰＩを受信するように構成された、請求項１９に記載の装置。
［請求項２２］
前記サービングセルからのネイバーリストが、システム情報ブロック（ＳＩＢ）中で前記ＲＰＩを搬送する、請求項２１に記載の装置。
［請求項２３］
判断するための前記手段が、
サービングセルから前記サービングセルのＲＰＩを受信することと、
前記サービングセルの前記ＲＰＩに基づいて１つまたは複数の非サービングセルのＲＰＩを導出することとを行うように構成された、請求項１９に記載の装置。
［請求項２４］
前記１つまたは複数の非サービングセルの前記ＲＰＩを導出することは、前記１つまたは複数の非サービングセルの前記ＲＰＩが前記サービングセルの前記ＲＰＩと同じであると見なすことを備える、請求項２３に記載の装置。
［請求項２５］
前記１つまたは複数の非サービングセルの前記ＲＰＩを導出することが、前記受信したサブフレームについて前記無線リソース測定を実行することに基づいてブラインド検出を実行することを備える、請求項２３に記載の装置。
［請求項２６］
判断するための前記手段が、１つまたは複数の非サービングセルから前記１つまたは複数の非サービングセルのＲＰＩを受信するように構成された、請求項１９に記載の装置。
［請求項２７］
前記１つまたは複数の非サービングセルの前記ＲＰＩを受信することが、前記１つまたは複数の非サービングセルからシステム情報ブロックタイプ１（ＳＩＢ１）を読み取ることを備える、請求項２６に記載の装置。
［請求項２８］
前記１つまたは複数の非サービングセルの前記ＲＰＩがマスタ情報ブロック（ＭＩＢ）中で搬送される、請求項２６に記載の装置。
［請求項２９］
前記無線リソース測定が、前記判断されたサブフレームのみの受信信号強度インジケータ（ＲＳＳＩ）と干渉セルの基準信号受信電力（ＲＳＲＰ）とに基づく基準信号受信品質（ＲＳＲＱ）である、請求項１９に記載の装置。
［請求項３０］
前記無線リソース測定が、サービングセルまたは非サービングセルに関連する周波数内無線リソース測定を備える、請求項１９に記載の装置。
［請求項３１］
前記無線リソース測定が、非サービングセルに関連する周波数間無線リソース測定またはＲＡＴ（無線アクセス技術）間無線リソース測定を備える、請求項１９に記載の装置。
［請求項３２］
実行するための前記手段が、６ｍｓよりも長い測定ギャップ中に前記判断されたサブフレームについて前記周波数間無線リソース測定または前記ＲＡＴ間無線リソース測定を実行するように構成された、請求項３１に記載の装置。
［請求項３３］
前記測定ギャップが少なくとも１０ｍｓ続く、請求項３２に記載の装置。
［請求項３４］
実行するための前記手段が、複数の測定ギャップ中に前記判断されたサブフレームについて前記周波数間無線リソース測定または前記ＲＡＴ間無線リソース測定を実行するように構成された、請求項３１に記載の装置。
［請求項３５］
前記判断されたサブフレームと一致するように前記周波数間無線リソース測定または前記ＲＡＴ間無線リソース測定のための測定ギャップをシフトしたいという要求を送るための手段をさらに備える、請求項３１に記載の装置。
［請求項３６］
シフトしたいという前記要求が前記セルの前記ＲＰＩに基づく、請求項３５に記載の装置。
［請求項３７］
セルからサブフレーム中で送信を受信するように構成された受信機と、
前記セルのリソース区分情報（ＲＰＩ）に基づいて無線リソース測定に含めるべき前記サブフレームを判断することと、
前記判断されたサブフレームについて前記無線リソース測定を実行することと
を行うように構成された少なくとも１つのプロセッサとを備える、ワイヤレス通信のための装置。
［請求項３８］
前記少なくとも１つのプロセッサが、前記測定を報告するように構成された、請求項３７に記載の装置。
［請求項３９］
前記少なくとも１つのプロセッサが、サービングセルから、前記サービングセルと１つまたは複数の非サービングセルの両方の前記ＲＰＩを受信することによって前記サブフレームを判断するように構成された、請求項３７に記載の装置。
［請求項４０］
前記サービングセルからのネイバーリストが、システム情報ブロック（ＳＩＢ）中で前記ＲＰＩを搬送する、請求項３９に記載の装置。
［請求項４１］
前記少なくとも１つのプロセッサが、
サービングセルから前記サービングセルのＲＰＩを受信することと、
前記サービングセルの前記ＲＰＩに基づいて１つまたは複数の非サービングセルのＲＰＩを導出することとを行うことによって前記サブフレームを判断するように構成された、請求項３７に記載の装置。
［請求項４２］
前記導出することは、前記１つまたは複数の非サービングセルの前記ＲＰＩが前記サービングセルの前記ＲＰＩと同じであると見なすことを備える、請求項４１に記載の装置。
［請求項４３］
前記導出することが、前記受信したサブフレームについて前記無線リソース測定を実行することに基づいてブラインド検出を実行することを備える、請求項４１に記載の装置。
［請求項４４］
前記少なくとも１つのプロセッサが、１つまたは複数の非サービングセルから、前記１つまたは複数の非サービングセルのＲＰＩを受信することによって前記サブフレームを判断するように構成された、請求項３７に記載の装置。
［請求項４５］
前記１つまたは複数の非サービングセルの前記ＲＰＩを受信することが、前記１つまたは複数の非サービングセルからシステム情報ブロックタイプ１（ＳＩＢ１）を読み取ることを備える、請求項４４に記載の装置。
［請求項４６］
前記１つまたは複数の非サービングセルの前記ＲＰＩがマスタ情報ブロック（ＭＩＢ）中で搬送される、請求項４４に記載の装置。
［請求項４７］
前記無線リソース測定が、前記判断されたサブフレームのみの受信信号強度インジケータ（ＲＳＳＩ）と干渉セルの基準信号受信電力（ＲＳＲＰ）とに基づく基準信号受信品質（ＲＳＲＱ）である、請求項３７に記載の装置。
［請求項４８］
前記無線リソース測定が、サービングセルまたは非サービングセルに関連する周波数内無線リソース測定を備える、請求項３７に記載の装置。
［請求項４９］
前記無線リソース測定が、非サービングセルに関連する周波数間無線リソース測定またはＲＡＴ（無線アクセス技術）間無線リソース測定を備える、請求項３７に記載の装置。
［請求項５０］
前記少なくとも１つのプロセッサが、６ｍｓよりも長い測定ギャップ中に前記判断されたサブフレームについて前記周波数間無線リソース測定または前記ＲＡＴ間無線リソース測定を実行することによって前記無線リソース測定を実行するように構成された、請求項４９に記載の装置。
［請求項５１］
前記測定ギャップが少なくとも１０ｍｓ続く、請求項５０に記載の装置。
［請求項５２］
前記少なくとも１つのプロセッサが、複数の測定ギャップ中に前記判断されたサブフレームについて前記周波数間無線リソース測定または前記ＲＡＴ間無線リソース測定を実行することによって前記無線リソース測定を実行するように構成された、請求項４９に記載の装置。
［請求項５３］
前記判断されたサブフレームと一致するように前記周波数間無線リソース測定または前記ＲＡＴ間無線リソース測定のための測定ギャップをシフトしたいという要求を送るように構成された送信機をさらに備える、請求項４９に記載の装置。
［請求項５４］
シフトしたいという前記要求が前記セルの前記ＲＰＩに基づく、請求項５３に記載の装置。
［請求項５５］
ワイヤレス通信のためのコンピュータプログラム製品であって、
セルからサブフレーム中で送信を受信することと、
前記セルのリソース区分情報（ＲＰＩ）に基づいて無線リソース測定に含めるべき前記サブフレームを判断することと、
前記判断されたサブフレームについて前記無線リソース測定を実行することと
を行うためのコードを有するコンピュータ可読媒体を備える、コンピュータプログラム製品。
［請求項５６］
前記測定を報告するためのコードをさらに備える、請求項５５に記載のコンピュータプログラム製品。
［請求項５７］
前記判断することが、サービングセルから、前記サービングセルと１つまたは複数の非サービングセルの両方の前記ＲＰＩを受信することを備える、請求項５５に記載のコンピュータプログラム製品。
［請求項５８］
前記サービングセルからのネイバーリストがシステム情報ブロック（ＳＩＢ）中で前記ＲＰＩを搬送する、請求項５７に記載のコンピュータプログラム製品。
［請求項５９］
前記判断することが、
サービングセルから前記サービングセルのＲＰＩを受信することと、
前記サービングセルの前記ＲＰＩに基づいて１つまたは複数の非サービングセルのＲＰＩを導出することとを備える、請求項５５に記載のコンピュータプログラム製品。
［請求項６０］
前記導出することは、前記１つまたは複数の非サービングセルの前記ＲＰＩが前記サービングセルの前記ＲＰＩと同じであると見なすことを備える、請求項５９に記載のコンピュータプログラム製品。
［請求項６１］
前記導出することが、前記受信したサブフレームについて前記無線リソース測定を実行することに基づいてブラインド検出を実行することを備える、請求項５９に記載のコンピュータプログラム製品。
［請求項６２］
前記判断することが、１つまたは複数の非サービングセルから前記１つまたは複数の非サービングセルのＲＰＩを受信することを備える、請求項５５に記載のコンピュータプログラム製品。
［請求項６３］
前記１つまたは複数の非サービングセルの前記ＲＰＩを受信することが、前記１つまたは複数の非サービングセルからシステム情報ブロックタイプ１（ＳＩＢ１）を読み取ることを備える、請求項６２に記載のコンピュータプログラム製品。
［請求項６４］
前記１つまたは複数の非サービングセルの前記ＲＰＩがマスタ情報ブロック（ＭＩＢ）中で搬送される、請求項６２に記載のコンピュータプログラム製品。
［請求項６５］
前記無線リソース測定が、前記判断されたサブフレームのみの受信信号強度インジケータ（ＲＳＳＩ）と干渉セルの基準信号受信電力（ＲＳＲＰ）とに基づく基準信号受信品質（ＲＳＲＱ）である、請求項５５に記載のコンピュータプログラム製品。
［請求項６６］
前記無線リソース測定が、サービングセルまたは非サービングセルに関連する周波数内無線リソース測定を備える、請求項５５に記載のコンピュータプログラム製品。
［請求項６７］
前記無線リソース測定が、非サービングセルに関連する周波数間無線リソース測定またはＲＡＴ（無線アクセス技術）間無線リソース測定を備える、請求項５５に記載のコンピュータプログラム製品。
［請求項６８］
前記実行することが、６ｍｓよりも長い測定ギャップ中に前記判断されたサブフレームについて前記周波数間無線リソース測定または前記ＲＡＴ間無線リソース測定を実行することを備える、請求項６７に記載のコンピュータプログラム製品。
［請求項６９］
前記測定ギャップが、少なくとも１０ｍｓ持続する、請求項６８に記載のコンピュータプログラム製品。
［請求項７０］
前記実行することが、複数の測定ギャップ中に前記判断されたサブフレームについて前記周波数間無線リソース測定または前記ＲＡＴ間無線リソース測定を実行することを備える、請求項６７に記載のコンピュータプログラム製品。
［請求項７１］
前記判断されたサブフレームと一致するように前記周波数間無線リソース測定または前記ＲＡＴ間無線リソース測定のための測定ギャップをシフトしたいという要求を送るためのコードをさらに備える、請求項６７に記載のコンピュータプログラム製品。
［請求項７２］
シフトしたいという前記要求が前記セルの前記ＲＰＩに基づく、請求項７１に記載のコンピュータプログラム製品。
［請求項７３］
第１の基地局において、周波数間無線リソース測定またはＲＡＴ（無線アクセス技術）間無線リソース測定のための、第２の基地局に関連する測定ギャップを判断することと、
前記第１の基地局において、前記第１の基地局の無線リソース測定用に指定された少なくとも１つのサブフレームを用いてリソース区分情報（ＲＰＩ）を生成することと、
前記ＲＰＩに従って前記第１の基地局からサブフレームを送信することであって、前記第１の基地局の無線リソース測定用に指定された前記少なくとも１つのサブフレームが、前記第２の基地局に関連する前記測定ギャップ内に入る、送信することとを備える、ワイヤレス通信のための方法。
［請求項７４］
前記第１の基地局が前記第２の基地局とは異なるＲＡＴを使用する、請求項７３に記載の方法。
［請求項７５］
前記第１の基地局が、前記第２の基地局とは異なる周波数を使用する、請求項７３に記載の方法。
［請求項７６］
前記少なくとも１つのサブフレームが３つ以上のサブフレームを備える、請求項７３に記載の方法。
［請求項７７］
前記判断することが、前記第１の基地局と前記第２の基地局との間のバックホールを介して前記測定ギャップの指示を受信することを備える、請求項７３に記載の方法。
［請求項７８］
ワイヤレス通信のための装置であって、
周波数間無線リソース測定またはＲＡＴ（無線アクセス技術）間無線リソース測定のための、基地局に関連する測定ギャップを判断するための手段と、
前記装置の無線リソース測定用に指定された少なくとも１つのサブフレームを用いてリソース区分情報（ＲＰＩ）を生成するための手段と、
前記ＲＰＩに従って前記装置からサブフレームを送信するための手段であって、前記装置の無線リソース測定用に指定された前記少なくとも１つのサブフレームが、前記基地局に関連する前記測定ギャップ内に入る、送信するための手段とを備える、ワイヤレス通信のための装置。
［請求項７９］
前記装置が前記基地局とは異なるＲＡＴを使用する、請求項７８に記載の装置。
［請求項８０］
前記装置が、前記基地局とは異なる周波数を使用する、請求項７８に記載の装置。
［請求項８１］
前記少なくとも１つのサブフレームが３つ以上のサブフレームを備える、請求項７８に記載の装置。
［請求項８２］
前記判断するための手段が、前記装置と前記基地局との間のバックホールを介して前記測定ギャップの指示を受信することを備える、請求項７８に記載の装置。
［請求項８３］
ワイヤレス通信のための装置であって、
周波数間無線リソース測定またはＲＡＴ（無線アクセス技術）間無線リソース測定のための、基地局に関連する測定ギャップを判断することと、
前記装置の無線リソース測定用に指定された少なくとも１つのサブフレームを用いてリソース区分情報（ＲＰＩ）を生成することと
を行うように構成された少なくとも１つのプロセッサと、
前記ＲＰＩに従って前記装置からサブフレームを送信するように構成された送信機であって、前記装置の無線リソース測定用に指定された前記少なくとも１つのサブフレームが、前記基地局に関連する前記測定ギャップ内に入る、送信機とを備える、ワイヤレス通信のための装置。
［請求項８４］
前記装置が前記基地局とは異なるＲＡＴを使用する、請求項８３に記載の装置。
［請求項８５］
前記装置が、前記基地局とは異なる周波数を使用する、請求項８３に記載の装置。
［請求項８６］
前記少なくとも１つのサブフレームが３つ以上のサブフレームを備える、請求項８３に記載の装置。
［請求項８７］
前記少なくとも１つのプロセッサが、前記装置と前記基地局との間のバックホールを介して前記測定ギャップの指示を受信することによって前記測定ギャップを判断するように構成された、請求項８３に記載の装置。
［請求項８８］
ワイヤレス通信のためのコンピュータプログラム製品であって、
第１の基地局において、周波数間無線リソース測定またはＲＡＴ（無線アクセス技術）間無線リソース測定のための、第２の基地局に関連する測定ギャップを判断することと、
前記第１の基地局において、前記第１の基地局の無線リソース測定用に指定された少なくとも１つのサブフレームを用いてリソース区分情報（ＲＰＩ）を生成することと、
前記ＲＰＩに従って前記第１の基地局からサブフレームを送信することであって、前記第１の基地局の無線リソース測定用に指定された前記少なくとも１つのサブフレームが、前記第２の基地局に関連する前記測定ギャップ内に入る、送信することと
を行うためのコードを有するコンピュータ可読媒体を備える、コンピュータプログラム製品。
［請求項８９］
前記第１の基地局が前記第２の基地局とは異なるＲＡＴを使用する、請求項８８に記載のコンピュータプログラム製品。
［請求項９０］
前記第１の基地局が、前記第２の基地局とは異なる周波数を使用する、請求項８８に記載のコンピュータプログラム製品。
［請求項９１］
前記少なくとも１つのサブフレームが３つ以上のサブフレームを備える、請求項８８に記載のコンピュータプログラム製品。
［請求項９２］
前記判断することが、前記第１の基地局と前記第２の基地局との間のバックホールを介して前記測定ギャップの指示を受信することを備える、請求項８８に記載のコンピュータプログラム製品。
【図１】
0005972863.tif 000006
【図２】
0005972863.tif 000007
【図２Ａ】
0005972863.tif 000008
【図３】
0005972863.tif 000009
【図４】
0005972863.tif 000010
【図５】
0005972863.tif 000011
【図６】
0005972863.tif 000012
【図７】
0005972863.tif 000013
【図８】
0005972863.tif 000014
【図８Ａ】
0005972863.tif 000015
【図９】
0005972863.tif 000016
【図９Ａ】
0005972863.tif 000017